(57)【特許請求の範囲】
【請求項１】
ケーブルの引出口に背面から嵌合してその引出口を閉塞するべく、その引出孔と相互補完的形状に形成された蓋体と、この蓋体を前記引出口に嵌合させる向きに弾発付勢する板ばねと、ケーブルの引出方向と直交する向きにスライド可能に前記蓋体を保持するガイド体とを有するケーブル引出口の開閉装置であって、
前記ガイド体が、衝立体を構成するパネルに開設された取り付け孔に、中心部にケーブルの引出口を備えた枠部を嵌合させた状態で、当該パネルに対して固設され、前記蓋体を開いた際に前記パネルの裏側に退避させるように前記蓋体を前記パネルに沿ってスライド可能に保持し、
前記板ばねが、先端側が斜め後方に傾斜した態様で、前記蓋体が前記パネルに沿ってスライドする開方向に前記蓋体から突出して、その先端部分において前記ガイド体に摺接するように設けられると共に、前記蓋体と弾性に富む合成樹脂材にて一体的に形成されたことを特徴とするケーブル引出口の開閉装置。
【請求項２】
前記ガイド体の側板部に開設された真直なガイド孔に係合するガイド爪を備えたスライダと前記蓋体と連結するように前記板ばねが設けられて、前記蓋体が前記パネル側に弾発付勢されると共に、前記蓋体が前記ガイド体にスライド可能に保持されるようにしたことを特徴とする請求項１に記載のケーブル引出口の開閉装置。
【請求項３】
前記板ばねが前記ガイド体の裏板部に圧接して、前記蓋体が前記パネル側に弾発付勢されると共に、前記ガイド体の側板部に開設されたＬ字形状のガイド孔に、前記蓋体の側面に突設されたガイド爪が係合して、前記蓋体が前記ガイド体にスライド可能に保持されるようにしたことを特徴とする請求項１に記載のケーブル引出口の開閉装置。
【発明の詳細な説明】
【０００１】
【発明の属する技術分野】
本発明は、パネルに開設されたケーブルの引出口を開閉するためのケーブル引出口の開閉装置に関するものである。
【０００２】
【従来の技術】
電気機器の電源・信号ケーブルや電話線等が床や机上に乱雑に引き回されるのを防ぐため、建物の内装パネルの裏側や室内に立設された衝立、いわゆるパーティションの内部に、これらのケーブルを挿通させるようにすることがある。この場合、パネルの裏側に挿通されたケーブルを所望の位置でパネルの前面側に引き出すためのケーブル引出口をパネルに開設することになる。
【０００３】
このようなケーブル引出口には、従来、使用する際に切除が容易なように外周に薄肉部が形成された蓋体が設けられることが一般的であるが、蓋体を一旦切除してしまうと復元が困難であり、後に使用しなくなった際に引出口が開口したままで見栄えが悪いことから、蓋体を開閉し得るようにしたケーブル引出口の開閉装置が知られている。
【０００４】
【発明が解決しようとする課題】
ところが、従来のケーブル引出口の開閉装置は、回動によって蓋体を開閉し得るようにしており、蓋体がパネルの前面側に突出するのを避けるために蓋体を裏側に回動させる内開き構造を採用していた。このため、蓋体の開方向とケーブルの引出方向とが互いに対向することになり、蓋体の開状態を保持しながらケーブルの引出作業を行わなければならず、使い勝手が悪いといった不都合があった。
【０００５】
本発明は、このような従来技術の不都合を解消するべく案出されたものであり、その主な目的は、蓋体がケーブルの引出作業の支障とならないように構成されたケーブル引出口の開閉装置を提供することにある。
【０００６】
【課題を解決するための手段】
このような目的は、本発明によれば、ケーブルの引出口に背面から嵌合してその引出口を閉塞するべく、その引出孔と相互補完的形状に形成された蓋体と、この蓋体を前記引出口に嵌合させる向きに弾発付勢する板ばねと、ケーブルの引出方向と直交する向きにスライド可能に前記蓋体を保持するガイド体とを有するケーブル引出口の開閉装置であって、前記ガイド体が、衝立体を構成するパネルに開設された取り付け孔に、中心部にケーブルの引出口を備えた枠部を嵌合させた状態で、当該パネルに対して固設され、前記蓋体を開いた際に前記パネルの裏側に退避させるように前記蓋体を前記パネルに沿ってスライド可能に保持し、前記板ばねが、先端側が斜め後方に傾斜した態様で、前記蓋体が前記パネルに沿ってスライドする開方向に前記蓋体から突出して、その先端部分において前記ガイド体に摺接するように設けられると共に、前記蓋体と弾性に富む合成樹脂材にて一体的に形成されたことを特徴とするケーブル引出口の開閉装置を提供することにより達成される。
【０００７】
特に、前記ガイド体の側板部に開設された真直なガイド孔に係合するガイド爪を備えたスライダと前記蓋体と連結するように前記板ばねが設けられて、前記蓋体が前記パネル側に弾発付勢されると共に、前記蓋体が前記ガイド体にスライド可能に保持されるようにしたものであると好ましい。
【０００８】
また、前記板ばねが前記ガイド体の裏板部に圧接して、前記蓋体が前記パネル側に弾発付勢されると共に、前記ガイド体の側板部に開設されたＬ字形状のガイド孔に、前記蓋体の側面に突設されたガイド爪が係合して、前記蓋体が前記ガイド体にスライド可能に保持されるようにしたものであると良い。
【０００９】
【発明の実施の形態】
以下に添付の図面に示された実施形態に基づいて本発明の構成を詳細に説明する。
【００１０】
図１は、本発明に基づき構成されたケーブル引出口の開閉装置の第１の実施形態を示している。このケーブル引出口の開閉装置は、図２・３に示すような事務机１の天板２の端縁部に立設された衝立体３に適用されるものであり、衝立体３の前面側のパネル４の下端部に開設された取り付け孔に嵌合してパネル４の背面側に固設されるガイド体５と、このガイド体５に保持されて、衝立体３の内部に挿通されたケーブル６を天板２上に引き出すための引出口７を閉塞する蓋体８とを有している。
【００１１】
ガイド体５は、下端に天板２が当接された状態で引出口７を形成する枠部９と、この枠部９の後方に設けられて蓋体７を上下にスライド自在に支持する左右の側板部１０・１１と、これら左右の側板１０・１１の上部後端間に架設された裏板部１２と、左右の側板部１０・１１並びに裏板部１２の間に架設された上板部１３とからなり、合成樹脂材にて一体的に形成されたものである。
【００１２】
このガイド体５は、図４に示すように、パネル４の下端部に開設された取り付け孔４ａに枠部９が嵌入してパネル４に固定されるようになっている。すなわち、パネル４の取り付け孔４ａの左右両側縁部に、枠部９の左右両側縁部が前面側から当接すると共に、側板部１０・１１の下部に設けられた弾発係合片１４が後方から係合して、パネル４に対するガイド体５の前後方向の変位が規制されている。また、取り付け孔４ａの上縁に枠部９の上端面が当接すると共に、取り付け孔４ａの左右の両側縁部下端からそれぞれ内向きに突出した左右一対の凸部４ｂが側板部１０・１１の下端外側に設けられた左右一対の窪み１５にそれぞれ嵌合して、パネル４に対するガイド体５の上下方向の変位が規制されている。
【００１３】
ガイド体５の左右の側板１０・１１には、図１に示すように、上下方向に真直なガイド孔１６が互いに対向して一対開設されており、左右両端にガイド爪１７を備えたスライダ１８が、上下にスライド可能に保持されている。このスライダ１８は、蓋体８の左右両側から斜め上方に延出した左右一対のばね片１９に連結され、蓋体８を揺動可能なように弾発支持している。このスライダ１８の裏板部１２に対向する面は、この裏板部１２に当接しており、蓋体８の揺動に応じてスライダ１８が回動しないようになっている。これら蓋体８、ばね片１９並びにスライダ１８は、弾性に富む合成樹脂材にて一体的に形成されている。
【００１４】
蓋体８は、引出口７の内周輪郭と相互補完的形状に形成されており、引出口７に嵌入した閉状態において、蓋体８の頂面に突設された突片２０がガイド体５の枠部９の裏面に係止されて、表面が枠部９と面一になるようになっている。
【００１５】
このような閉状態において、ばね片１９の弾発力に抗して蓋体８を奥に押し込むと、ばね片１９が弾性変形して蓋体８が引出口７から抜け出し、スライダ１８がガイド孔１６に沿って上下にスライド可能な状態になる。そして、引出口７から離脱させた蓋体８を枠部９の裏面側に押し上げた上で、蓋体８に対する押圧を緩めると、図５に示すように、ばね片１９の弾発力でスライダ１８が裏板部１２に、蓋体８が枠部９にそれぞれ圧接して、蓋体８がガイド体５に係止される。
【００１６】
このように蓋体８がガイド体５に圧接した状態では、蓋体８に上下方向の力を作用させることで、摩擦力に抗して蓋体８を上下にスライドさせることができ、所望の開口が得られる。蓋体８は、スライダ１８が上板部１３に衝止されるまで上昇して全開状態になる。一方、蓋体８の前面下端に設けられた突条２１を利用して蓋体８を引き下ろすと、蓋体８と引出口７とが整合したところで、ばね片１９の弾発力で蓋体８が引出口７に嵌入して全閉状態になる。
【００１７】
図６は、本発明に基づき構成されたケーブル引出口の開閉装置の第２の実施形態を示している。このケーブル引出口の開閉装置は、上述の第１の実施形態と同様に、事務机１の天板２の端縁部に立設された衝立体３に適用されるものであり、衝立体３の前面側のパネル４に固設されるガイド体３１と、このガイド体３１に保持されて引出口３２を閉塞する蓋体３３とを有している。
【００１８】
ガイド体３１は、下端に天板２が当接された状態で引出口７を形成する枠部３４と、この枠部３４の後方に設けられた左右一対の側板部３５・３６と、これら左右の側板部３５・３６の後端間に架設された裏板部３７とからなり、合成樹脂材にて一体的に形成されたものである。このガイド体３１の側板部３５・３６には、Ｌ字形状のガイド孔３８が互いに対向して左右に一対開設されており、これらのガイド孔３８に蓋体３３の左右両側に突設された左右一対のガイド爪３９がそれぞれ係合するようになっている。
【００１９】
このガイド体３１は、図７に示すように、パネル４の下端に開設された取り付け孔４ａの内周縁に、枠部３４の後部に形成された溝３４ａが嵌合すると共に、取り付け孔４ａの左右両側縁部の下端から内向きにそれぞれ突出した左右一対の凸部４ｂに、左右の側板部３５・３６の下部に設けられた左右一対の弾発係合片４０がそれぞれ係合して、パネル４に固定されるようになっている。
【００２０】
一方、蓋体３３には、図６に示すように、その裏面下端部から所定の曲率をもって斜め上方に延出したばね片４１が設けられており、これら蓋体３３並びにばね片４１が弾性に富む合成樹脂材にて一体的に形成されている。このばね片４１は、その裏面の一部が裏板部３７に当接すると共に、その先端部に設けられた係止片４２が、裏板部３７の上端に係止されるようになっている。
【００２１】
蓋体３３は、引出口３２の内周輪郭と相互補完的形状に形成されており、引出口３２に嵌入した閉状態において、蓋体３３の頂部に突設された突片４３が枠部３４の裏面に係止されて、表面が枠部３４と面一になるようになっている。
【００２２】
このような閉状態から、ばね片４１の弾発力に抗して蓋体３３を奥に押し込むと、ばね片４１の弾性変形に応じて、ガイド孔３８の水平部３８ａに沿って蓋体３３が後方にスライドして引出口３２から抜け出し、ガイド孔３８の鉛直部３８ｂに沿って蓋体３３が上下にスライド可能な状態になる。そして、蓋体３３を枠部３４の裏面側に押し上げた上で押圧を緩めると、図８に示すように、ばね片４１の弾発力で蓋体３３が枠部３４に、ばね片４１が裏板部３７にそれぞれ圧接して、蓋体３３がガイド体３１に係止される。
【００２３】
このように蓋体３３がガイド体３１に圧接した状態では、摩擦力に抗して蓋体３３を上下にスライドさせることで、所望の開口が得られる。また、蓋体３３は、ガイド爪３９がガイド孔３８の上縁に衝止されるまで上昇して全開状態になる。一方、蓋体３３の前面下端部に設けられた突条４４を用いて蓋体３３を引き下ろすと、蓋体３３と引出口３２とが整合したところで、ばね片４１の弾発力で蓋体３３が引出口３２に嵌入して全閉状態になる。
【００２４】
【発明の効果】
このように本発明によれば、蓋体がパネルの裏側にパネルに沿ってスライドして収容されるようになっており、蓋体の開方向とケーブルの引出方向とが直交しするため、蓋体が引出作業の支障にならない。このため、蓋体を体裁良く収納すると共に、ケーブルの引出作業を円滑化することができ大きな効果がある。その上、ケーブルの太さや本数に応じて開口幅を加減し得るため、使用時の見栄えを良くすることができる。
【００２５】
特に、蓋体を、引出孔と相互補完的形状に形成すると共にばね手段によってパネル側に弾発付勢しておくと、蓋体が引出口から離脱してパネルの背面側にスライドした開状態において、蓋体がガイド体に圧接して係止されるようになり、複雑な係止手段を設けることなく蓋体を任意の開状態に保持させることができる。しかも、このような開状態から蓋体をスライドさせて引出孔に整合させると、蓋体が弾発的に引出孔に突入して、蓋体と引出口の周縁部とが面一となる全閉状態にすることができ、開閉操作を煩雑化することなく不使用時の見栄えを良くすることができる。
【００２６】
さらに、ばね手段を、蓋体からその開方向斜め後方に突出させて、その先端部分においてガイド体に摺接する板ばねとし、この板ばねを蓋体と弾性に富む合成樹脂材にて一体的に形成すると、簡易な構成でストロークを長く確保し得ることから、十分な弾発力を確保した上で円滑な操作感を得ることができる。しかも、蓋体を引出口から離脱させる際の変位量を十分に確保することが可能となり、板厚の比較的大きなパネルにも適用可能となる。その上、蓋体に追随してばね手段が移動するため、開状態においてばね手段がケーブル引出操作の支障にならないといった利点が得られる。
【図面の簡単な説明】
【図１】本発明に基づき構成されたケーブル引出口の開閉装置の第１の実施形態を示す斜視図。
【図２】図１に示されるケーブル引出口の開閉装置が適用される事務机の衝立体を示す斜視図。
【図３】図２に示されるケーブル引出口の開閉装置が衝立体に取り付けられた状態を拡大して示す斜視図。
【図４】図１に示されるケーブル引出口の開閉装置が衝立体に取り付けられた状態を示す側面図。
【図５】図１に示されるケーブル引出口の開閉装置の開状態を示す縦断面図。
【図６】本発明に基づき構成されたケーブル引出口の開閉装置の第２の実施形態を示す斜視図。
【図７】図６に示されるケーブル引出口の開閉装置が衝立体に取り付けられた状態を示す側面図。
【図８】図６に示されるケーブル引出口の開閉装置の開状態を示す縦断面図。
【符号の説明】
１  事務机
２  天板
３  衝立体
４  パネル
４ａ  取り付け孔
４ｂ  凸部
５  ガイド体
６  ケーブル
７  引出口
８  蓋体
９  枠部
１０・１１  側板部
１２  裏板部
１３  上板部
１４  弾発係合片
１５  窪み
１６  ガイド孔
１７  ガイド爪
１８  スライダ
１９  ばね片
２０  突片
２１  突条
３１  ガイド体
３２  引出口
３３  蓋体
３４  枠部
３４ａ  溝
３５・３６  側板部
３７  裏板部
３８  ガイド孔
３８ａ  水平部
３８ｂ  鉛直部
３９  ガイド爪
４０  弾発係合片
４１  ばね片
４２  係止片
４３  突片
４４  突条
【図１】
0003647533.tif 000002
【図２】
0003647533.tif 000003
【図３】
0003647533.tif 000004
【図４】
0003647533.tif 000005
【図５】
0003647533.tif 000006
【図６】
0003647533.tif 000007
【図７】
0003647533.tif 000008
【図８】
0003647533.tif 000009